【手続補正書】
【提出日】平成21年7月7日(2009.7.7)
【手続補正１】
【補正対象書類名】明細書
【補正対象項目名】００４０
【補正方法】変更
【補正の内容】
【００４０】
図１１、図１２は、本発明の第５実施態様に係るオイルセパレータ内蔵圧縮機を示している。なお、上記第１実施態様と同一の部材には同一の番号を付しその説明を省略する。本実施態様においては、貯油室部分１４ｃは、ガス抜き通路２２を介して分離室通過後のガス通路１８に連通されている。ガス抜き通路２２は、下部孔が開口されない貯油室部分１４ｃに連通するガス抜き通路２２ａと、該ガス抜き通路２２ａからガスが導入されるとともに、図１１に示すように圧縮機の周方向に形成されたガス抜き通路２２ｂと、分離室通過後のガス通路１８に連通するガス抜き通路２２ｄとからなっている。
【手続補正２】
【補正対象書類名】明細書
【補正対象項目名】００４２
【補正方法】変更
【補正の内容】
【００４２】
図１３は、本発明の第６実施態様に係るオイルセパレータ内蔵圧縮機を示している。なお、上記第１実施態様と同一の部材には同一の番号を付しその説明を省略する。本実施態様においては、下部孔が開口されない貯油室部分１４ｂは通路２１を介して下部孔が開口されない貯油室部分１４ｃに連通され、さらに貯油室部分１４ｃは、ガス抜き通路２２を介して分離室通過後のガス通路１８に連通されている。ガス抜き通路２２は、下部孔が開口されない貯油室部分１４ｃに連通するガス抜き通路２２ａと、該ガス抜き通路２２ａからガスが導入されるとともに、図１３に示すように圧縮機の周方向に形成されたガス抜き通路２２ｂと、分離室通過後のガス通路１８に連通するガス抜き通路２２ｅとからなっている。ガス抜き通路２２ｅは圧縮機の周方向に延びている。
【手続補正３】
【補正対象書類名】明細書
【補正対象項目名】００４７
【補正方法】変更
【補正の内容】
【００４７】
また、分離室１１の下端には下部孔１５と、下部孔が開口されない貯油室部分１４ｂに連通する通路２４が設けられている。したがって、本実施態様においては、分離室１１には実質的に複数の下部孔が設けられている。
【手続補正４】
【補正対象書類名】明細書
【補正対象項目名】００４９
【補正方法】変更
【補正の内容】
【００４９】
また、実質的に下部孔の開口されている貯油室部分１４ａ、１４ｂに溜まったガスは、下部孔１５、通路２４を介して分離室１１内に導入される。したがって、貯油室部分１４ａ、１４ｂ内からガスを効率的に排出することができる。
【手続補正５】
【補正対象書類名】明細書
【補正対象項目名】００５１
【補正方法】変更
【補正の内容】
【００５１】
図１７、図１８は本発明の本発明の第９実施態様に係るオイルセパレータ内蔵圧縮機を示している。なお、本実施態様の基本的構成は、上記第８実施態様と略同一であるため同一の部材には同一の番号を付しその説明を省略する。第８実施態様においては、ガス抜き通路２３ｃが分離室１１の下端側に開口されているが、本実施態様においては、ガス抜き通路２３ｂと分離室１１を連通するガス抜き通路２３ｄが分離室１１の上端側に開口されている。このような構成においても、上記第１実施作用に準じ、下部孔の開口されない貯油室部分１４ｃに溜まったガスを効率よく確実に排出できる。また、実質的に下部孔の開口されている貯油室部分１４ａ、１４ｂに溜まったガスは、下部孔１５、通路２４を介して分離室１１内に導入される。したがって、貯油室部分１４ａ、１４ｂ内からガスを効率的に排出することができる。
【手続補正６】
【補正対象書類名】明細書
【補正対象項目名】００５４
【補正方法】変更
【補正の内容】
【００５４】
図２１は、本発明の第１１実施態様に係るオイルセパレータ内蔵圧縮機を示している。本実施態様においては、下部孔が開口されない貯油室部分１４ｂは通路２１を介して下部孔が開口されない貯油室部分１４ｃに連通され、さらに貯油室部分１４ｃは、ガス抜き通路４１を介して分離室１１およびガス通路１８に連通されている。ガス抜き通路４１は、下部孔が開口されない貯油室部分１４ｃに連通するガス抜き通路４１ａと、該ガス抜き通路４１ａからガスが導入されるとともに、図２１に示すように圧縮機の周方向に形成されたガス抜き通路４１ｂと、ガス抜き通路４１ｂと分離室１１とを連通するガス抜き通路４１ｃ、およびガス抜き通路４１ｂとガス通路１８を連通するガス抜き通路４１ｄとからなっている。
【手続補正７】
【補正対象書類名】明細書
【補正対象項目名】００５６
【補正方法】変更
【補正の内容】
【００５６】
図２２は、本発明の第１２実施態様に係るオイルセパレータ内蔵圧縮機を示している。本実施態様においては、下部孔が開口されない貯油室部分１４ｂは通路２１を介して下部孔が開口されない貯油室部分１４ｃに連通され、さらに貯油室部分１４ｃは、ガス抜き通路４２を介して分離室１１およびガス通路１８に連通されている。ガス抜き通路４２は、下部孔が開口されない貯油室部分１４ｃに連通するガス抜き通路４２ａと、該ガス抜き通路４２ａからガスが導入されるとともに、図２２に示すように圧縮機の周方向に形成されたガス抜き通路４２ｂと、ガス抜き通路４２ｂと分離室１１とを連通するガス抜き通路４２ｃ、およびガス抜き通路４２ｂとガス通路１８を連通するガス抜き通路４２ｄ、４２ｅとからなっている。
【手続補正８】
【補正対象書類名】明細書
【補正対象項目名】００５８
【補正方法】変更
【補正の内容】
【００５８】
図２３は、本発明の第１３実施態様に係るオイルセパレータ内蔵圧縮機を示している。本実施態様においては、下部孔が開口されない貯油室部分１４ｂは通路２１を介して下部孔が開口されない貯油室部分１４ｃに連通され、さらに貯油室部分１４ｃは、ガス抜き通路４３を介して分離室１１およびガス通路１８に連通されている。ガス抜き通路４３は、下部孔が開口されない貯油室部分１４ｃに連通するガス抜き通路４３ａと、該ガス抜き通路４３ａからガスが導入されるとともに、図２３に示すように圧縮機の周方向に形成されたガス抜き通路４３ｂと、ガス抜き通路４３ｂと分離室１１とを連通するガス抜き通路４３ｃ、４３ｄ，およびガス抜き通路４３ｂとガス通路１８を連通するガス抜き通路４３ｅ、４３ｆとからなっている。
【手続補正９】
【補正対象書類名】明細書
【補正対象項目名】００５９
【補正方法】変更
【補正の内容】
【００５９】
本実施態様においては、下部孔の開口されていない貯油室部分１４ｂ、１４ｃに溜まったガスは、ガス抜き通路４３ａ〜ガス抜き通路４３ｂ〜ガス抜き通路４３ｃ、４３ｄ、４３ｅ、４３ｆのような流路を形成し分離室１１およびガス通路１８に導入される。したがって、下部孔の開口されていない貯油室部分１４ｂ、１４ｃに溜まったガスを効率よく確実に排出できる。下部孔の開口されていない貯油室部分１４ｃ〜分離室１１に至るガス抜け流路を図２３の矢印（一点鎖線）で示した。
【手続補正１０】
【補正対象書類名】明細書
【補正対象項目名】００６０
【補正方法】変更
【補正の内容】
【００６０】
図２４、図２５は、本発明の第１４実施態様に係るスクロール型圧縮機からなるオイルセパレータ内蔵圧縮機を示している。吐出室７内には、オイルセパレータ２５が設けられている。オイルセパレータ２５は、オイル分離部として、ケーシング１０内に筒状の分離室２６を設け、その軸上に分離パイプ２７が挿入あるいは圧入されている。本実施態様において、分離室２６は母線部が直線状に延びる円筒形状に形成されている。分離パイプ２７の上端は、スナップリング２８により固定または係止されている。本実施態様においては、分離室２６はケーシング１０のみにより形成されており、上方には内部圧力を保持するためのシールボルト２９が設けられている。また、分離パイプ２７の上部とシールボルト２９の下端との間には、分離室通過後のガス通路３０が設けられており、ガス通路３０には吐出ポート３１が設けられている。